【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
送出カテーテルを備えてなるカテーテルシステムであって、
前記送出カテーテルは、
近位端部分および遠位端部分を有している本体、
前記本体の遠位端部分から遠位へ突出している送出カテーテルシース、
ステントをその上に支持するように構成され、前記送出カテーテルの前記本体および前記送出カテーテルシースを通して軸方向に前進させることができる内側コア、
前記送出カテーテルの前記本体によって支持された把手部材であり、前記送出カテーテルは、この把手部材が前記内側コアへ接続されたときに、この把手部材および前記内側コアが軸方向へ一緒に移動するように構成されている把手部材、および
前記本体によって支持された調節部材であり、この調節部材の回転がこの調節部材を前記本体に沿って軸方向に移動させるように構成されている調節部材
を備え、
前記把手部材は、前記調節部材が回転させられて前記把手部材との軸方向接触力がもたらされたときに、前記把手部材を前記本体に対して軸方向にスライドさせることによるか、あるいは、前記調節部材を前記本体に対して回転させることによるかのいずれかによって、前記送出カテーテルの前記本体に沿って、前記本体の前記遠位端部分と前記調節部材との間で軸方向に移動することができる
カテーテルシステム。
【請求項２】
前記内側コアは、前記把手部材へ非選択的に連結されている、請求項１に記載のカテーテルシステム。
【請求項３】
前記内側コアは、前記把手部材によって選択的に係合することができ、さらに、このカテーテルシステムは、前記把手部材が前記内側コアに係合されたときに前記把手部材および前記内側コアが一緒に軸方向に移動するように構成されている、請求項１または２に記載のカテーテルシステム。
【請求項４】
前記内側コアは、前記内側コアの少なくとも一部分に沿って軸方向に間隔をおいて配置された複数のタブを支持しているコアワイヤを備え、前記タブは、前記ステントがステント装填状態において前記タブの１つ以上に重なるように、前記コアワイヤの上に定置されている、請求項１〜３のいずれか１つに記載のカテーテルシステム。
【請求項５】
前記内側コアはコアワイヤを備え、さらに、前記複数のタブは、前記コアワイヤの少なくとも一部分に沿って軸方向に間隔をおいて配置されている、請求項４に記載のカテーテルシステム。
【請求項６】
前記複数のタブは、前記ステントの内骨格にステント装填状態において係合するように構成されている、請求項４または５に記載のカテーテルシステム。
【請求項７】
導入器カテーテルをさらに備え、前記導入器カテーテルは、本体と、この本体の遠位端部分から突出している管状の導入器シースとを備え、前記導入器カテーテルは、前記送出カテーテルを選択的係合可能に受け入れるように構成されている、請求項１〜６のいずれか１つに記載のカテーテルシステム。
【請求項８】
前記導入器シースは、それを通して、少なくとも前記内側コアを軸方向に受け入れるように構成されている、請求項７に記載のカテーテルシステム。
【請求項９】
前記ステントの直径は、前記ステントを前記導入器カテーテルの内部におけるテーパー付きの導管を通して送ることによって、前記ステントが前記導入器シースの中へ前進させられたときに、５％〜５０％減少させることができる、請求項７または８に記載のカテーテルシステム。
【請求項１０】
前記導入器シースの内面の少なくとも一部分が、ＰＴＦＥ、シリコーン、疎水性シリコーン、および別の潤滑用物質のうちの少なくとも１つを備えている低摩擦被膜で覆われている、請求項７〜９のいずれか１つに記載のカテーテルシステム。
【請求項１１】
前記導入器カテーテルは、前記送出カテーテルに選択的係合可能であり、その結果、前記送出カテーテルが前記導入器カテーテルに係合されると、前記導入器カテーテルおよび前記送出カテーテルのうちのいずれか一方の軸方向移動によって、前記導入器カテーテルおよび前記送出カテーテルのうちの他方の同時かつ同等の軸方向移動が引き起こされる、請求項７〜１０のいずれか１つに記載のカテーテルシステム。
【請求項１２】
前記カテーテルシステムは、前記導入器カテーテルおよび前記送出カテーテルが係合されると、前記送出カテーテルが前記導入器カテーテルに対して回転することができるように、構成されている、請求項７〜１１のいずれか１つに記載のカテーテルシステム。
【請求項１３】
前記カテーテルシステムは、前記送出カテーテルが前記導入器カテーテルに係合されると、前記送出カテーテルシースおよび前記導入器シースが重なることのないように、構成されている、請求項７〜１２のいずれか１つに記載のカテーテルシステム。
【請求項１４】
前記カテーテルシステムは、前記送出カテーテルが前記導入器カテーテルに係合されると、前記送出カテーテルシースの少なくとも遠位端部分が前記導入器シースの少なくとも近位端部分に重なるか、あるいは前記導入器シースの近位端部分が前記送出カテーテルシースの少なくとも遠位端部分に重なるように、構成されている、請求項７〜１３のいずれか１つに記載のカテーテルシステム。
【請求項１５】
前記カテーテルシステムは、前記送出カテーテルが前記導入器カテーテルに係合されると、前記送出カテーテルシースのテーパー付き遠位部分が前記導入器シースの近位部分の中へ前進させられるように、構成されている、請求項７〜１４のいずれか１つに記載のカテーテルシステム。
【請求項１６】
前記送出カテーテルシースの内径が前記導入器シースの内径よりも大きい、請求項７〜１５のいずれか１つに記載のカテーテルシステム。
【請求項１７】
前記内側コアは、前記内側コアの少なくとも一部分に沿って軸方向に間隔をおいて配置された複数のタブを支持しているコアワイヤを備え、前記タブは、前記ステントがステント装填状態において前記タブの１つ以上に重なるように、前記コアワイヤの上に定置されている、請求項１〜１６のいずれか１つに記載のカテーテルシステム。
【請求項１８】
前記ステントは移植片を備え、前記移植片は、前記移植片の中間部分ではなく前記移植片の少なくとも前記遠位端部分において、前記ステントへ取り付けられている、請求項１〜１７のいずれか１つに記載のカテーテルシステム。
【請求項１９】
近位端部分および遠位端部分を有している本体、
前記本体の前記遠位端部分から突出している外側シース、
ステントをその上に支持するように構成され、前記送出カテーテルの前記本体および前記外側シースを通して軸方向に前進させることができる内側コア、
前記送出カテーテルの前記本体によって支持された把手部材であり、前記把手部材および前記内側コアが軸方向へ一緒に移動するように、前記内側コアに軸方向に連結されている把手部材、および
前記送出カテーテルの前記本体によって支持された調節部材であり、この調節部材の回転がこの調節部材を前記本体に沿って軸方向に移動させる機械的利点をもたらすように、構成されている調節部材
を備えてなり、
前記把手部材は、前記調節部材が前記把手部材に接触されたときに、前記把手部材を前記本体に対して軸方向にスライドさせることによるか、あるいは、前記調節部材を前記本体に対して回転させることによるかのいずれかによって、前記送出カテーテルの前記本体に対して、前記本体の前記遠位端部分と前記調節部材との間で軸方向に移動することができ、それによって、前記内側コアを前記外側シースに対して軸方向に移動させる
送出カテーテルシステム。
【請求項２０】
前記内側コアは、前記把手部材へ反転不能に連結されている、請求項１９に記載のカテーテルシステム。
【請求項２１】
前記内側コアは、前記内側コアの少なくとも一部分に沿って軸方向に間隔をおいて配置された複数のタブを支持しているコアワイヤを備え、前記タブは、前記ステントがステント装填状態において前記タブの１つ以上に重なるように、前記コアワイヤの上に定置されている、請求項１９〜２０のいずれか１つに記載のカテーテルシステム
【請求項２２】
前記内側コアはコアワイヤを備え、さらに、前記複数のタブは、前記コアワイヤの少なくとも一部分に沿って軸方向に間隔をおいて配置されている、請求項２１に記載のカテーテルシステム。
【請求項２３】
前記複数のタブは、前記ステントの内骨格にステント装填状態において係合するように構成されている、請求項２１〜２２のいずれか１つに記載のカテーテルシステム。
【請求項２４】
ステントを送出するように構成された送出カテーテルシステムであって、
前記送出カテーテルシステムは、
近位端部分および遠位端部分を有している本体、
前記本体の前記遠位端部分から突出している外側シース、
前記ステントの本体部分を拘束するための第１拘束体、
前記ステントの分枝部分を拘束するための第２拘束体、
この第２拘束体に軸方向に連結された中空の第１解放ワイヤ、
近位端部分および遠位端部分を有している第２ワイヤであり、前記中空の第１解放ワイヤの少なくとも一部分がこの第２ワイヤの前記遠位端部分に重なるように、ステント装填状態において前記中空の第１解放ワイヤの中へ前進させられる第２ワイヤ
を備えてなり、
前記中空の第１解放ワイヤの中に形成された曲がり部が、前記第２ワイヤの前記遠位端部分を前記中空の第１解放ワイヤへ取り外し可能にロックする
送出カテーテルシステム。
【請求項２５】
前記中空の第１解放ワイヤの中の前記曲がり部は、前記外側シースが前記中空の第１解放ワイヤの中の前記曲がり部を超えて後退させられると、前記第２ワイヤの前記遠位端部分が前記中空の第１解放ワイヤからロックされないよう前記中空の第１解放ワイヤが弛緩し適合されるように形成される、請求項２４に記載の送出カテーテルシステム。
【請求項２６】
前記中空の第１解放ワイヤは、前記ステント装填状態において、前記ステントの内側管腔を通して突出している、請求項２４に記載の送出カテーテルシステム。
【請求項２７】
前記中空の解放ワイヤの遠位端は、前記ステントの端部分を超えて突出している、請求項２６に記載の送出カテーテルシステム。
【請求項２８】
前記ステントをその上に支持するように構成され、前記送出カテーテルの前記本体および前記外側シースを通して軸方向に前進させることができる内側コアをさらに備える、請求項２４に記載の送出カテーテルシステム。
【請求項２９】
前記内側コアは、コアワイヤを備える、請求項２８に記載の送出カテーテルシステム。
【請求項３０】
前記ステントは移植片を備え、前記移植片は、前記移植片の少なくとも遠位端部分において、前記ステントへ取り付けられている、請求項２４に記載の送出カテーテルシステム。
【請求項３１】
前記移植片は、前記ステントの中間部分に取り付けられていないため、前記中間部分は血管の内壁に対して拡張することができる、請求項３０に記載の送出カテーテルシステム。